(57)【要約】【課題】たとえひとりの作業者であっても、また、たとえ配管内を高温や低温の流体が通流していても、配管外周への断熱材の取り付け施工を容易かつ迅速に行うことのできる配管用断熱材施工補助具。【解決手段】周方向に複数に分割された断熱材Ａを配管Ｐの外周に取り付け施工する際に使用する配管用断熱材施工補助具で、断熱材Ａをその内面側に保持自在で、かつ、配管Ｐの長手方向に沿う軸心Ｌ周りに回動自在に連結された複数の保持枠体１と、その保持枠体１に設けられて互いに連結および離脱可能に構成された一対の連結具を備え、複数の保持枠体１を配管Ｐの外周に巻き付けて連結具により連結および離脱可能に構成されている。【選択図】        図４
2004316871.tif 000002
【特許請求の範囲】
【請求項１】
周方向に複数に分割された断熱材を配管の外周に取り付け施工する際に使用する配管用断熱材施工補助具であって、
前記断熱材をその内面側に保持自在で、かつ、前記配管の長手方向に沿う軸心周りに回動自在に連結された複数の保持枠体と、その保持枠体に設けられて互いに連結および離脱可能に構成された一対の連結具を備え、前記複数の保持枠体を前記配管の外周に巻き付けて前記連結具により連結および離脱可能に構成されている配管用断熱材施工補助具。
【請求項２】
前記連結具の長さが調節可能に構成され、その連結具の長さ調節によって前記複数の保持枠体の巻き付け径が調節できるように構成されている請求項１に記載の配管用断熱材施工補助具。
【請求項３】
前記複数の保持枠体に対して前記断熱材を保持させる仮止め手段が設けられている請求項１または２に記載の配管用断熱材施工補助具。
【発明の詳細な説明】
【０００１】
【発明の属する技術分野】
本発明は、周方向に複数に分割された断熱材を配管の外周に取り付け施工する際に使用する配管用断熱材施工補助具に関する。
【０００２】
【従来の技術】
このような配管用断熱材の施工では、施工の対象となる配管の外周に複数の断熱材を配設し、その外周に金属製の線材などからなる緊縛材を巻き付けて固定するのであるが、ひとりの作業者が、複数の断熱材を配管周りに保持しながら、その外周に緊縛材を巻き付けて固定するのはきわめて困難な作業であり、通常、少なくともひとりの作業者が複数の断熱材を保持し、他の作業者が緊縛材を巻き付けて固定していたのが実情である。
したがって、配管用断熱材の施工に最低２人の作業者が必要となり、配管の管径が大きくなると、３人以上の作業者を必要とする場合もあり、それが施工費用のコストアップを招く原因ともなっていた。
【０００３】
そこで、かかる施工作業をひとりの作業者で可能にするため、従来、施工補助具としてゴムバンドが使用されていた。
具体的には、配管の長手方向の１箇所あるいは２箇所において、その外周にゴムバンドを緩めに巻き付けて端部どうしを互いに結び、そのゴムバンドと配管外周との間に断熱材を差し込み、必要に応じて、そのゴムバンドを配管の径方向に引っ張りながら断熱材を順次差し込んで仮止めし、その仮止めした状態で、断熱材の外周に緊縛材を巻き付けて固定し、その後、仮止め用のゴムバンドを外して施工していた（現実に実施されているが、仮止め用のゴムバンドに言及した特許公報などは見当たらない）。
【０００４】
【発明が解決しようとする課題】
しかし、仮止め用のゴムバンドを使用する場合、当然、配管の外周にゴムバンドを巻き付けて端部どうしを結ぶ作業が必要となり、また、配管から外す際には結び目を解く作業が必要となる。さらに、配管の外周にゴムバンドを緩めに巻き付けて結んでも、その巻き付け具合が緩すぎたり、逆に、きつすぎたりすると、再度結び直す作業が必要となって作業が煩雑になる欠点があった。
特に、配管への施工においては、上述した作業を配管に沿って何度も繰り返す必要があるため、非常に煩雑な作業となり、この点に改良の余地があった。
また、このような配管用断熱材の施工では、配管内を高温や低温の流体が通流する状態のままで施工することもあり、高温の流体が通流する場合にはゴムバンドが溶ける可能性があり、低温の流体が通流する場合にはゴムバンドが硬くなって所望どおりの作業ができなくなる可能性もあって、実際上、ゴムバンドの使用が不可能なこともある。
【０００５】
本発明は、このような従来の問題点に着目したもので、その目的は、たとえひとりの作業者であっても、また、たとえ配管内を高温や低温の流体が通流していても、配管外周への断熱材の取り付け施工を容易かつ迅速に行うことのできる配管用断熱材施工補助具を提供することである。
【０００６】
【課題を解決するための手段】
請求項１の発明の特徴構成は、周方向に複数に分割された断熱材を配管の外周に取り付け施工する際に使用する配管用断熱材施工補助具であって、前記断熱材をその内面側に保持自在で、かつ、前記配管の長手方向に沿う軸心周りに回動自在に連結された複数の保持枠体と、その保持枠体に設けられて互いに連結および離脱可能に構成された一対の連結具を備え、前記複数の保持枠体を前記配管の外周に巻き付けて前記連結具により連結および離脱可能に構成されているところにある。
【０００７】
請求項１の発明の特徴構成によれば、周方向に複数に分割された断熱材を配管の外周に取り付け施工する際に使用する配管用断熱材施工補助具が、断熱材をその内面側に保持自在で、かつ、配管の長手方向に沿う軸心周りに回動自在に連結された複数の保持枠体と、その保持枠体に設けられて互いに連結および離脱可能に構成された一対の連結具を備え、複数の保持枠体を配管の外周に巻き付けて連結具により連結および離脱可能に構成されているので、複数の保持枠体の内面側に断熱材を保持させて配管の外周に巻き付けて連結具により連結することによって、複数の断熱材を配管の外周に保持させることができ、施工完了後においては、連結具を離脱することによって複数の保持枠体を配管外周から取り外すことができる。
したがって、従来のようにいちいち結んだり結び目を解く作業が不用となり、たとえひとりの作業者であっても、配管外周への断熱材の取り付け施工を容易かつ迅速に行うことができ、断熱材の取り付け施工に要する費用を低減することができるとともに、断熱材を保持する保持枠体を高温あるいは低温に耐え得る材料で構成することにより、たとえ配管内を高温あるいは低温の流体が通流していても、断熱材の取り付け施工を所望どおりに行うことができる。
【０００８】
請求項２の発明の特徴構成は、前記連結具の長さが調節可能に構成され、その連結具の長さ調節によって前記複数の保持枠体の巻き付け径が調節できるように構成されているところにある。
【０００９】
請求項２の発明の特徴構成によれば、連結具の長さが調節可能に構成され、その連結具の長さ調節によって複数の保持枠体の巻き付け径が調節できるように構成されているので、施工の対象となる配管の径が多少変わっても、また、断熱材の厚みが多少変わっても、同じ施工補助具による対応が可能となり、施工補助具の汎用性が向上する。
【００１０】
請求項３の発明の特徴構成は、前記複数の保持枠体に対して前記断熱材を保持させる仮止め手段が設けられているところにある。
【００１１】
請求項３の発明の特徴構成によれば、複数の保持枠体に対して断熱材を保持させる仮止め手段が設けられているので、その仮止め手段を使用して断熱材を各保持枠体に対して所望の位置に保持させることにより、各断熱材を配管の外周の配設保持させた状態で、比較的容易に各断熱材間の目地幅を均一化したり、断熱材どうしを密着させて見栄えを向上させることができる。
特に、その目地部にポリウレタンフォームなどの目地材を注入する場合には、目地部への目地材の施工がより一層確実となり、目地部からの熱の放散あるいは熱の侵入を良好に阻止することができる。
【００１２】
【発明の実施の形態】
本発明による配管用断熱材施工補助具につき、その実施の形態を図面に基づいて説明する。
この配管用断熱材施工補助具は、図１〜図３に示すように、半円筒状に形成された鳥かごのような２つの保持枠体１を備え、それら両保持枠体１は、複数の蝶番２によって軸心Ｌ周りに相対回動自在に連結されている。
各保持枠体１は、ステンレスや鉄などの金属製材料により形成され、互いに対向する一対の半円部材１ａ、両半円部材１ａの端部どうしを連結する一対の辺部材１ｂ、および、両半円部材１ａの中間部どうしを連結する中間部材１ｃなどが互いに溶接されて鳥かご状に構成されていて、両保持枠体１の一方の辺部材１ｂどうしが蝶番２により相対回動自在に連結されている。
【００１３】
両保持枠体１のうち、一方の保持枠体１においては、蝶番２と対向する側の辺部材１ｂの外面にフック３ａが突設され、他方の保持部材１においては、蝶番２と対向する側の辺部材１ｂの外面に金具３ｃを介して適当な長さを有するチェン３ｂの一端が回動自在に取り付けられている。
両保持枠体１のフック３ａとチェン３ｂは、互いに連結および離脱可能な一対の連結具３を構成し、フック３ａに対してチェン３ｂの連結箇所を適宜選択することで、その連結具３の長さを調節して、後に詳しく説明するように、両保持枠体１の巻き付け径が調節できるように構成されている。
そして、フック３ａが突設された辺部材１ｂの内面側には、後に詳しく説明するように、仮止め手段としての保持突片４が、辺部材１ｂの長手方向に適当距離を置いて一対突設されている。
【００１４】
つぎに、この施工補助具の使い方について説明する。
例えば、施工の対象となる配管Ｐが８インチ管（外径約２０６ｍｍ）の場合、図４および図５に示すように、周方向に２分割された厚み６５ｍｍ程度の断熱材Ａが使用され、その断熱材Ａを両保持枠体１の内面側にそれぞれ保持させ、両保持枠体１の回動軸心Ｌが配管Ｐの長手方向に沿うようにして、チェン３ｂが取り付けられた方の保持枠体１を配管Ｐの外周上面に載置する。
すると、他方の保持枠体１は吊下することになるが、吊下した方の断熱材Ａは保持突片４に当接するので、断熱材Ａは保持枠体１に対して所定の位置に確実に保持される。
【００１５】
つぎに、吊下した方の保持枠体１を軸心Ｌ周りに回動させて持ち上げ（図５参照）、両保持枠体１を配管Ｐの外周に巻き付けるとともに、チェン３ｂをフック３ａに連結して、両保持枠体１を配管Ｐの外周に取り付ける。
その際、フック３ａに対するチェン３ｂの連結箇所を選択することにより、フック３ａとチェン３ｂからなる連結具３の長さを調節することができ、連結具３の長さ調節によって、両保持枠体１の巻き付け径が調節できるので、対象とする配管Ｐの径や断熱材Ａの厚みに応じて適宜調節することになる。
その結果、図６に示すように、両保持枠体１により２つの断熱材Ａを配管Ｐの外周にしっかりと仮止めすることができ、仮止めした状態で、断熱材Ａの外周にステンレスや鉄製の線材やガラスフィラメントテープなどからなる緊縛材５を巻き付けて強固に固定して取り付け、例えば、配管Ｐが低温の流体を通流させるものであれば、各断熱材Ａ間の目地部分にポリウレタンフォームなどの目地材６を注入するのであり、目地材６の注入前あるいは注入後に保持枠体１を取り外す。
【００１６】
その後、必要な場合には、図７に示すように、その断熱材Ａの外周にさらに別の断熱材Ｂを取り付けることになる。つまり、先に取り付けた断熱材Ａを内層側の断熱材として、その外側に外層側の断熱材Ｂを取り付けるのであり、その外層側の断熱材Ｂは、例えば、周方向に２分割された厚み７０ｍｍ程度の断熱材Ｂが使用される。
断熱材Ｂの取り付けも、断熱材Ｂを両保持枠体１の内面側にそれぞれ保持させ、一方の保持枠体１を断熱材Ａの外周上面に載置し、他方の保持枠体１を軸心Ｌ周りに回動させ、チェン３ｂをフック３ａに連結して取り付ける。
その際、断熱効果を確実にするため、外層側断熱材Ｂ間の目地部分が内層側断熱材Ａ間の目地部分と重ならないように配設し、その後、外層側断熱材Ｂの外周に緊縛材５を巻き付け、かつ、各断熱材Ｂ間の目地部分に目地材６を注入するとともに、保持枠体１を取り外して施工を完了する。
【００１７】
〔別実施形態〕
（１）先の実施形態では、半円筒状に形成された２つの保持枠体１を軸心Ｌ周りに相対回動自在に連結した例を示したが、図８に示すように、例えば、合計４つの保持枠体１をそれぞれ軸心Ｌ周りに相対回動自在に連結し、各保持枠体１の内面側に周方向に４つに分割された断熱材Ａ，Ｂをそれぞれ保持させるように構成することもできる。
要するに、断熱材Ａ，Ｂの分割数は配管Ｐの径などに応じて変わるものであり、その断熱材Ａ，Ｂの分割数に応じて、連結する保持枠体１の数を変えるのが望ましく、必要な場合には、ひとつの保持枠体１に２つの断熱材Ａ，Ｂを保持させるように構成することもできる。
また、配管Ｐの外周に内層側断熱材Ａと外層側断熱材Ｂを二層に取り付け施工した例を示したが、断熱材を一層だけ取り付け施工する際にも、三層以上取り付け施工する際にも適用可能である。
【００１８】
（２）先の実施形態では、各保持枠体１を金属材料により形成した例を示したが、例えば、プラスチックやＦＲＰなどの各種合成樹脂をはじめとして、木製の集成材やセラミックなどで形成することもでき、さらに、その具体的な構成についても、鳥かごのようなものに限らず、例えば、彎曲した中実の板状体により構成することもできる。
連結具３に関しても、フック３ａとチェン３ｂに限るものではなく、例えば、適当な長さを有する一対の面ファスナなど、種々の構成のものを使用することができ、また、仮止め手段４に関しても、先の実施形態で示した保持突片に限らず、例えば、両面テープなどで構成することもできる。
【図面の簡単な説明】
【図１】配管用断熱材施工補助具の斜視図
【図２】配管用断熱材施工補助具の正面図
【図３】配管用断熱材施工補助具の背面図
【図４】配管用断熱材施工補助具の使い方を示す斜視図
【図５】配管用断熱材施工補助具の使い方を示す断面図
【図６】配管用断熱材施工補助具の使い方を示す斜視図
【図７】配管用断熱材施工補助具の使い方を示す斜視図
【図８】別の実施形態による配管用断熱材施工補助具の斜視図
【符号の説明】
１        保持枠体
３        連結具
４        仮止め手段
Ａ，Ｂ    断熱材
Ｌ        軸心
Ｐ        配管
【図１】
2004316871.tif 000003
【図２】
2004316871.tif 000004
【図３】
2004316871.tif 000005
【図４】
2004316871.tif 000006
【図５】
2004316871.tif 000007
【図６】
2004316871.tif 000008
【図７】
2004316871.tif 000009
【図８】
2004316871.tif 000010